(57)【特許請求の範囲】
【請求項１】
記録媒体に記録されている信号を再生する際に、
前記記録媒体から所定周期で信号を再生速度に応じて読み出し記憶手段に記憶するものとし、
前記記憶手段には、前記記録媒体から読み出された信号を現在の再生位置から所定分記憶させ、
前記記憶手段に記憶された信号を読み出して再生出力信号を得るものとし、
通常再生から可変速再生に動作を切り換えて、前記通常再生時の再生速度よりも高速な新たな再生速度としたとき、該新たな再生速度に応じた信号が前記記録媒体から前記所定周期で読み出されるまで、再生速度が前記通常再生時の再生速度よりも高速かつ前記新たな再生速度よりも低速となるように、前記記憶手段に記憶された信号の読み出しを制御して再生出力信号を得る
ことを特徴とする信号再生方法。
【請求項２】
記録媒体に記録された信号を読み出す信号読出手段と、
前記信号読出手段で読み出された信号を現在の再生位置から所定分記憶する記憶手段と、
動作を通常再生あるいは可変速再生に切り換えると共に可変速再生時の再生速度を設定するための操作手段と、
前記記録媒体から所定周期で信号を再生速度に応じて読み出すように前記信号読出手段を制御すると共に前記記憶手段での信号の書込読出動作を制御する制御手段とを有し、
前記制御手段では、前記操作手段によって通常再生から可変速再生に動作が切り換えられて、前記通常再生時の再生速度よりも高速な新たな再生速度とされたとき、該新たな再生速度に応じた信号が前記記録媒体から前記所定周期で読み出されるまで、再生速度が前記通常再生時の再生速度よりも高速かつ前記新たな再生速度よりも低速となるように、前記記憶手段に記憶された信号の読み出しを制御する
ことを特徴とする信号再生装置。
【発明の詳細な説明】
【０００１】
【発明の属する技術分野】
この発明は信号再生方法および信号再生装置に関する。詳しくは、記録媒体から所定周期で読み出された信号を記憶手段に記憶すると共に、記憶手段には記録媒体から読み出された信号を現在の再生位置から所定分だけ記憶させるものとし、通常再生から可変速再生に動作を切り換えて新たな再生速度としたときには、新たな再生速度に応じた信号が記録媒体から読み出されるまで、記憶手段に記憶された信号を新たな再生速度に応じて読み出して再生出力信号を得ることにより、操作に対する応答感を良好とするものである。
【０００２】
【従来の技術】
従来の信号再生装置、例えば磁気ディスクや光ディスク等のディスク状記録媒体に記録された画像信号を再生する信号再生装置では、通常再生動作だけでなく再生速度を可変できる可変速再生動作を行うことができるようになされている。このため、動作を通常再生から可変速再生に切り換えて、高速再生や低速再生を行うことにより所望の画像が記録された位置を容易に検出することができる。
【０００３】
また、ディスク状記録媒体にｎ系統の画像信号が圧縮して記録されている場合には、図３に示すように所定期間ＴＭを「１／ｎ」に分割してｎ個のタイムスロットＴＳ-1〜ＴＳ-nが設定される。ここで、１つのタイムスロットで１系統の圧縮された画像信号を読み出すことにより、所定期間ＴＭでｎ系統の圧縮された画像信号を読み出すことができる。さらに、各タイムスロットで読み出された画像信号を伸長処理することで、ｎ系統の画像信号を同時に再生することができる。
【０００４】
【発明が解決しようとする課題】
ところで、このようにｎ系統の画像信号を再生できる信号再生装置、例えばビデオサーバ等では、通常再生動作中に動作を可変速再生動作に切り換えて再生速度を変化させた場合、例えば図４Ａに示すようにタイムスロットＴＳ-aaよりも後の時点ｔ11で、図４Ｂに示すように動作モードが通常再生から可変速再生に切り換えて再生速度を変化させた場合には、図４Ｃに示すように画像信号が時点ｔ11の状態で停止されてしまう。その後、タイムスロットＴＳ-abで可変された再生速度に応じた画像信号がディスク状記録媒体から読み出されると時点ｔ12で可変された再生速度に応じた画像信号の出力が開始される。なお、図４Ｃでは再生時にアドレスが増加すると共に、可変速再生では可変された再生速度に応じた画像の更新が間隔Ｔwで行われる場合を示している。
【０００５】
このように、時点ｔ11〜時点ｔ12までの期間中は、画像信号が時点ｔ11の状態で停止されてしまうので、操作に対する信号再生装置の動作の反応が遅く感じられてしまう。
【０００６】
そこで、この発明では通常再生から可変速再生に動作が切り換えられて再生速度が可変された場合に、良好な応答感を得ることができる信号再生方法および信号再生装置を提供するものである。
【０００７】
【課題を解決するための手段】
この発明に係る信号再生方法は、記録媒体に記録されている信号を再生する際に、記録媒体から所定周期で信号を再生速度に応じて読み出し記憶手段に記憶するものとし、記憶手段には、記録媒体から読み出された信号を現在の再生位置から所定分記憶させ、記憶手段に記憶された信号を読み出して再生出力信号を得るものとし、通常再生から可変速再生に動作を切り換えて、通常再生時の再生速度よりも高速な新たな再生速度としたとき、該新たな再生速度に応じた信号が記録媒体から所定周期で読み出されるまで、再生速度が通常再生時の再生速度よりも高速かつ新たな再生速度よりも低速となるように、記憶手段に記憶された信号の読み出しを制御して再生出力信号を得るものである。
【０００８】
また、この発明に係る信号再生装置は、記録媒体に記録された信号を読み出す信号読出手段と、信号読出手段で読み出された信号を現在の再生位置から所定分記憶する記憶手段と、動作を通常再生あるいは可変速再生に切り換えると共に可変速再生時の再生速度を設定するための操作手段と、記録媒体から所定周期で信号を再生速度に応じて読み出すように信号読出手段を制御すると共に記憶手段での信号の書込読出動作を制御する制御手段とを有し、制御手段では、操作手段によって通常再生から可変速再生に動作が切り換えられて、通常再生時の再生速度よりも高速な新たな再生速度とされたとき、該新たな再生速度に応じた信号が記録媒体から所定周期で読み出されるまで、再生速度が通常再生時の再生速度よりも高速かつ新たな再生速度よりも低速となるように、記憶手段に記憶された信号の読み出しを制御するものである。
【０００９】
この発明においては、複数系統の信号が圧縮されて記録されているディスク状記録媒体から、各系統の信号が異なるタイムスロット期間で読み出される。このタイムスロットに基づき所定周期で読み出された信号は記憶手段に記憶される。また記憶手段には、現在の再生位置を基準として例えば前後所定期間分の信号が記憶される。この記憶手段に記憶された信号が読み出されて再生出力信号として出力される。なお、ディスク状記録媒体には信号が圧縮されて記録されていることから、ディスク状記録媒体から読みされた信号は、再生出力信号として出力される前に伸長処理が行われる。
【００１０】
ここで、通常再生から可変速再生に動作が切り換えられて再生速度が新たな再生速度とされたとき、例えば再生速度が高速とされたときには、新たな再生速度に応じた信号が次のタイムスロットでディスク状記録媒体から読み出されるまでの期間中、再生速度が通常再生時の再生速度よりも高速かつ新たな再生速度よりも低速となるように、記憶手段に記憶された信号が読み出される。
【００１１】
【発明の実施の形態】
次に、この発明の実施の一形態について図を用いて説明する。図１は、複数系統の信号を記録したり、記録された信号を再生することができる信号記録再生システムの構成を示している。サーバ１０には、外部から番組やコマーシャル等の画像の画像信号Ｖin-1〜Ｖin−nが供給されており、画像信号Ｖin-1は、エンコーダ部１２-1によって圧縮符号化処理されて、信号量が「１／ｎ」に圧縮される。このエンコーダ部１２-1で圧縮符号化された画像信号Ｖin-1は、バッファメモリ１４-1に一時的に蓄えられる。
【００１２】
他の系統の画像信号Ｖin-2〜Ｖin-nも画像信号Ｖin-1と同様に、エンコーダ部１２-2〜１２-nによって信号量が「１／ｎ」に圧縮されてバッファメモリ１４-2〜１４-nに一時的に蓄えられる。
【００１３】
また、タイムスロット信号発生部１６では、所定期間ＴＭを「１／ｎ」に分割してｎ個のタイムスロットを設定し、それぞれのタイムスロットを示すタイムスロット信号ＳＬ-1〜ＳＬ-nが生成される。生成されたタイムスロット信号ＳＬ-1はバッファメモリ１４-1と後述するバッファメモリ３２-1に供給される。このタイムスロット信号ＳＬ-1に基づいて、バッファメモリ１４-1に保持されている圧縮された画像信号Ｖin-1がデータバス４２を介して、ハードディスクドライブあるいはＲＡＩＤ方式のディスク・アレイ等を用いて構成されたデータ記録部２０に供給されて記録される。
【００１４】
同様に、タイムスロット信号ＳＬ-2〜ＳＬ-nはバッファメモリ１４-2〜１４-nとバッファメモリ３２-2〜３２-nに供給される。このタイムスロット信号ＳＬ-2〜ＳＬ-nに基づいて、バッファメモリ１４-2〜１４-nに保持されている圧縮された画像信号Ｖin-2〜Ｖin-nが、それぞれ異なるタイムスロットのタイミングでデータバス４２を介してデータ記録部２０に記録される。
【００１５】
データ記録部２０に記録された画像信号は、制御部４０からコントロールバス４４を介して供給された制御信号ＣＴに基づいて読み出される。ここで、ハードディスクドライブあるいはＲＡＩＤ方式のディスク・アレイ等ではランダムアクセスが可能なディスク状記録媒体が用いられていることから、制御信号ＣＴに基づいて所望の画像信号が速やかに読出可能とされている。また、記録された画像信号からタイムスロット単位で所望の画像信号が読み出されて、バッファメモリ３２-1〜３２-nの何れかに書き込まれる。ここで、読み出された画像信号が書き込むバッファメモリはタイムスロット信号ＳＬ-1〜ＳＬnによって指定される。
【００１６】
バッファメモリ３２-1に書き込まれた画像信号はデコーダ部３４-1に供給されて復号化される。デコーダ部３４-1で復号化された画像信号は、ＪＯＧ動作用のメモリ（（以下「ＪＯＧメモリ」という）３６-1に書き込まれる。このＪＯＧメモリ３６-1に書き込まれた画像信号は、再生速度に応じて読み出されて再生出力信号Ｖout-1として出力される。この再生出力信号Ｖout-1を例えばモニタテレビ５１-1に供給することにより、モニタテレビ５１-1の画面上に番組やコマーシャル等が表示される。
【００１７】
同様に、バッファメモリ３２-2〜３-nに書き込まれた画像信号は、それぞれデコーダ部３４-2〜３４-nに供給されて復号化される。このデコーダ部３４-2〜３４-nで復号化された画像信号はＪＯＧメモリ３６-2〜３６-nに書き込まれる。このＪＯＧメモリ３６-2〜３６-nに書き込まれた画像信号が読み出されて、再生出力信号Ｖout-2〜Ｖout-nとして出力される。
【００１８】
なお、バッファメモリ３２とＪＯＧメモリ３６とで、現在の再生位置から所定分の画像信号、例えば通常再生時には連続する前後所定フレーム分の画像信号が記憶され、可変速再生時にはフレーム単位の画像信号が可変された再生速度に応じたフレーム間隔で記憶される。
【００１９】
制御部４０には操作装置５０が接続されており、操作装置５０から操作信号ＰＳが制御部４０に供給される。制御部４０では操作信号ＰＳに基づいた制御信号ＣＴが生成される。この制御信号ＣＴによってデータ記録部２０やバッファメモリ３２、デコーダ部３４、ＪＯＧメモリ３６等の動作が制御されて、動作モードが通常再生あるいは可変速再生に切り換えると共に可変速再生時の再生速度の設定等が行われる。
【００２０】
次に、図２を用いて動作について説明する。図２Ａは操作装置５０からの操作信号ＰＳに基づいて設定された動作モードを示している。通常再生では、図２Ｂに示すように再生位置のアドレスが順次増加する。また、図２Ｃに示すように所定のタイムスロットでデータ記録部２０に記録されている画像信号が読み出されてバッファメモリ３２に書き込まれる。バッファメモリ３２に書き込まれた画像信号は読み出されてデコーダ部３４に供給される。デコーダ部３４では、読み出された画像信号が伸長処理されてＪＯＧメモリ３６に書き込まれる。このＪＯＧメモリ３６に書き込まれた画像信号が読み出されて図２Ｄに示す再生出力信号Ｖoutとされる。なお、図２Ｄの破線は、バッファメモリ３２とＪＯＧメモリ３６に記憶されている信号量を示しており、図２Ｅは信号記録再生システムの動作状態を示している。
【００２１】
ＪＯＧメモリ３６には、現在の再生位置に対して前後画像信号が記憶されていることから、操作装置５０からの操作信号ＰＳに基づき再生動作が開始されたときに、ＪＯＧメモリ３６から画像信号を読み出すだけで速やかに画像を表示させることができる。また、バッファメモリ３２とＪＯＧメモリ３６とで、現在の再生位置から前後連続した所定フレーム分の画像信号が記憶されているので、バッファメモリ３２に記憶されていた画像信号をデコーダ部３４で伸長処理してＪＯＧメモリ３６に書き込むと共にＪＯＧメモリ３６から画像信号を読み出すことで、データ記録部２０から所定のタイムスロットで画像信号が読み出される前であっても再生動作を開始させることができる。
【００２２】
ここで、時点ｔ1で操作装置５０からの操作信号ＰＳに基づいて動作モードが可変速再生に設定されると共に、図２Ｂに示すように操作装置５０が操作されて再生速度が可変されると、可変された再生速度に応じて例えば画像の更新が間隔Ｔwで行われる。すなわち、アドレスＭ1，Ｍ2，Ｍ3，Ｍ4・・・の画像信号に基づく画像の表示を行うものとされる。この可変された再生速度に応じた画像信号がタイムスロットＴＳ-bでデータ記録部２０から読み出されてバッファメモリ３２に書き込まれる。このバッファメモリ３２に書き込まれた画像信号は、デコーダ部３４で伸長処理されてＪＯＧメモリ３６に書き込まれる。このＪＯＧメモリ３６に書き込まれた信号が時点ｔ2で読み出されて、可変された再生速度に応じた画像、すなわち、アドレスＭ1，Ｍ2，Ｍ3，Ｍ4・・・の画像信号に基づく画像が間隔Ｔw毎に順次表示される。
【００２３】
また、可変された再生速度に応じた画像信号がデータ記録部２０から読み出されてＪＯＧメモリから読み出されるまでの期間、すなわち時点ｔ1から時点ｔ2までの期間（以下「疑似可変速再生期間」という）は、バッファメモリ３２とＪＯＧメモリ３６に記憶されている画像信号から再生出力信号Ｖoutが生成されて画像の表示が行われる。
【００２４】
この疑似可変速再生期間中の再生速度Ｒpは、動作モードが通常再生とされているときの通常再生速度Ｒsよりも可変速再生とされたときの初速度Ｒrのほうが高速である場合には、式（１）の条件を満たすように再生速度Ｒpが設定される。
可変速再生の初速度Ｒr＞再生速度Ｒp＞通常再生速度Ｒs  ・・・（１）
さらに、時点ｔ2のタイミングは、タイムスロット周期である所定期間ＴＭとタイムスロット位置がわかっていることから、動作モードが可変速再生に切り換えられて再生速度が可変された時点ｔ1で、時点ｔ2のタイミングを確定することができる。このため、時点ｔ1から時点ｔ2までの時間Ｔpを求めて、この時間Ｔpとバッファメモリ３２やＪＯＧメモリ３６に記憶されている画像信号の信号量から、疑似可変速再生期間中の再生速度が決定される。
【００２５】
ここで、再生速度Ｒpは、式（１）の条件を満たすと共に、時点ｔ1から時点ｔ2までの期間中にバッファメモリ３２やＪＯＧメモリ３６に記憶されている画像信号が全て読み出されてしまうことがないように設定することで、通常再生から可変速再生に動作モードを切り換えたときに、画像を滑らかに切り換えることができる。例えば、図２Ｄに示すように、疑似可変速再生期間では、アドレス位置を示す線分の傾きが通常再生期間に比べて大きくなっている。すなわち、疑似可変速再生期間では、通常再生期間に比べて間隔Ｔwにおけるアドレス変化量が大きくなるので、再生速度は通常再生時の再生速度よりも高速となる。また、疑似可変速再生期間において、間隔Ｔwにおけるアドレス変化量は、新たな再生速度におけるアドレス変化量よりも少ない。すなわち疑似可変速再生期間では、再生速度が新たな再生速度よりも低速となる。このように、疑似可変速再生期間では再生速度が通常再生時の再生速度よりも高速かつ新たな再生速度よりも低速となるように画像信号の読み出しが行われるので、通常再生から可変速再生に動作モードを切り換えたときに、画像を滑らかに切り換えることができる。
【００２６】
さらに、再生速度Ｒpを時点ｔ1でほぼ通常再生速度Ｒsとし時点ｔ2でほぼ可変速再生の初速度Ｒrとなるように調整することで、時点ｔ1から時点ｔ2を助走期間とするような再生画像を表示することができる。
【００２７】
可変速再生の初速度Ｒrが通常再生速度Ｒsよりも低速である場合には、式（２）の条件を満たすように疑似可変速再生期間中の再生速度Ｒpが設定される。
可変速再生の初速度Ｒr＝再生速度Ｒp    ・・・（２）
このように、式（２）を満たすように再生速度Ｒpを設定することで、動作モードが可変速再生に切り換えられて再生速度が可変された時点ｔ1から、直ちに可変速再生が開始された場合と同等な画像を表示することができる。
【００２８】
このように、上述の実施の形態によれば、通常再生から可変速再生に動作が切り換えられた場合、可変速再生に応じた画像信号がデータ記録部２０から読み出されて出力されるまでの疑似可変速再生期間中に、可変速再生の初速度に応じて、バッファメモリ３２やＪＯＧメモリ３６に記憶されている画像信号を読み出して再生出力信号が生成されて出力されるので、動作が切り換えられた時点の状態で画像信号が停止されてしまうことがなく、応答感を良好なものとして使用感を向上できる。
【００２９】
なお、上述の実施の形態では、サーバ１０のデータ記録部２０に記録されている画像信号を再生する場合について説明したが、再生される画像信号はサーバ１０に記録された画像信号に限られるものではない。さらに信号は画像信号に限られるものではなく、音声信号等であっても良いことは勿論である。
【００３０】
【発明の効果】
この発明によれば、記録媒体から所定周期で読み出された信号が記憶手段に記憶されると共に、記憶手段には記録媒体から読み出された信号が現在の再生位置から所定分だけ記憶される。ここで、通常再生から可変速再生に動作が切り換えられて、通常再生時の再生速度よりも高速な新たな再生速度とされたとき、該新たな再生速度に応じた信号が記録媒体から所定周期で読み出されるまで、再生速度が前記通常再生時の再生速度よりも高速かつ前記新たな再生速度よりも低速となるように、記憶手段に記憶された信号の読み出しが行われる。このため、通常再生から可変速再生に動作モードを切り換えたときに、新たな再生速度に応じた信号が記録媒体から所定周期で読み出されるまでの期間中に再生が停止されてしまうことがなく、また、新たな再生速度に応じた信号が記録媒体から所定周期で読み出されるまでの期間、再生速度が通常再生時の再生速度よりも高速かつ新たな再生速度よりも低速とされて、再生速度の切り換えの助走期間のように用いられて、画像を滑らかに切り換えることができる。
【図面の簡単な説明】
【図１】信号記録再生システムの構成を示す図である。
【図２】信号再生方法を説明するための図である。
【図３】タイムスロットを示す図である。
【図４】従来の信号再生方法を説明するための図である。
【符号の説明】
１０・・・サーバ、１６・・・タイムスロット信号発生部、２０・・・データ記録部、３２-1〜３２-n・・・バッファメモリ、３４-1〜３４-n・・・デコーダ部、３６・・・ＪＯＧメモリ、４０・・・制御部、４２・・・データバス、４４・・・コントロールバス、５０・・・操作装置、５１-1・・・モニタテレビ
【図１】
0004016158.tif 000002
【図２】
0004016158.tif 000003
【図３】
0004016158.tif 000004
【図４】
0004016158.tif 000005